(57)【要約】【課題】原水に含まれる細菌等の不純物を除去して、不純物濃度が所定の濃度以下の腸内洗浄用の純水を得る腸内洗浄装置を提供する。【解決手段】濾過器１０（第１濾過器１１、第２濾過器１２、第３濾過器１３）が腸内洗浄装置に導入された水道水を濾過する。加熱ユニット１６が濾過された水を加熱する。逆浸透膜装置１８が加熱された水を逆浸透膜を利用して処理することにより純水を生成する。高圧用圧力調整ユニット１９が、逆浸透膜により処理された純水を加圧して、出水口２０から人間の腸内洗浄用の純水として出水する。【選択図】図２
2008119073.tif 000002
【特許請求の範囲】
【請求項１】
腸内洗浄用の水を出水口から出水する腸内洗浄装置であって、
水を濾過する濾過器と、
前記水を加熱する加熱ユニットと、
前記水を逆浸透処理する逆浸透膜ユニットとを備え、
前記濾過器により濾過された水を、前記加熱ユニットにより加熱しかつ前記逆浸透膜ユニットにより逆浸透処理して、前記腸内洗浄用の水として、前記出水口から出水する
ことを特徴とする腸内洗浄装置。
【請求項２】
当該腸内洗浄装置が、更に、
前記出水口における水圧を調整する圧力調整ユニットを備える
ことを特徴とする請求項１に記載の腸内洗浄装置。
【請求項３】
当該腸内洗浄装置が、更に、
前記腸内洗浄用の水の出水先を、前記出水口と、前記出水口とは別に設けられた排水口との間で切り替える切替ユニットを備える
ことを特徴とする請求項１又は２に記載の腸内洗浄装置。
【発明の詳細な説明】
【技術分野】
【０００１】
本発明は、腸内洗浄装置に関し、特に、原水に含まれる細菌等の不純物を除去して、不純物濃度が所定の値以下の腸内洗浄用の水を得て、これを用いて腸内を洗浄する腸内洗浄装置に関する。
【背景技術】
【０００２】
従来、腸内洗浄装置として、例えば、濾過及び加熱により洗浄水を生成し、生成した洗浄水をオゾン化し、オゾン化した洗浄水をホースを介して患者の下部腸管内に導入する下部腸管洗浄装置が提案されている（特許文献１）。
【特許文献１】特開２００４−２４８４６号公報
【発明の開示】
【発明が解決しようとする課題】
【０００３】
洗浄水をオゾン化すると、オゾン化した洗浄水を人間の腸内に導入することになる。しかし、オゾンは発癌性を有しているので、オゾン化した洗浄水を腸内に導入することは、健康に悪影響を与える恐れがあり、好ましくない。
【０００４】
また、オゾンにより洗浄水に含まれる細菌を殺菌したとしても、細菌の残渣（死骸）が洗浄水内に残ってしまう。このため、洗浄水に含まれる細菌を殺菌するだけではなく、細菌それ自体を除去する必要がある。
【０００５】
一方、飲料水については、その不純物濃度の基準が定められている。例えば、日本では６０ｐｐｍであり、アメリカでは４０ｐｐｍである。腸内の洗浄に用いる洗浄水は、飲料水とは異なるが、人間の体内に導入される点では違いが無い。そこで、洗浄水の不純物濃度（ｐｐｍ）が飲料水の不純物濃度の基準を満たすことが望ましい。
【０００６】
本発明は、原水に含まれる細菌等の不純物を除去して、不純物濃度が所定の値以下の腸内洗浄用の水を得て、これを用いて腸内を洗浄する腸内洗浄装置を提供することを目的とする。
【課題を解決するための手段】
【０００７】
本発明の腸内洗浄装置は、腸内洗浄用の水を出水口から出水する腸内洗浄装置であって、水を濾過する濾過器と、前記水を加熱する加熱ユニットと、前記水を逆浸透処理する逆浸透膜ユニットとを備え、前記濾過器により濾過された水を、前記加熱ユニットにより加熱しかつ前記逆浸透膜ユニットにより逆浸透処理して、前記腸内洗浄用の水として、前記出水口から出水する。
【０００８】
好ましくは、本発明の腸内洗浄装置が、更に、前記出水口における水圧を調整する圧力調整ユニットを備える。
【０００９】
好ましくは、本発明の腸内洗浄装置が、更に、前記腸内洗浄用の水の出水先を、前記出水口と、前記出水口とは別に設けられた排水口との間で切り替える切替ユニットを備える。
【発明の効果】
【００１０】
本発明の腸内洗浄装置は、原水（例えば、水道水等）を濾過して、この濾過した水を加熱処理及び逆浸透処理して不純物濃度が所定の値（例えば、１０ｐｐｍ）以下の水（以下、純水とも言う）を得て、これを腸内洗浄用の水として出水口から出水する。例えば、本発明の腸内洗浄装置は、不純物濃度が１２０ｐｐｍの東京都の水道水を濾過して１０ｐｐｍの純水を得て、これを体温に近い温度（例えば、３７℃）に加熱して、加熱された純水を適切な圧力（例えば、３．０ｋｇ／ｃｍ2 ）及び水量（例えば、４０ｃｃ／ｍｉｎ〜１００ｃｃ／ｍｉｎ）で出水口から出水して、腸内を洗浄する。これにより、腸内洗浄用の水の不純物濃度について、例えば飲料水の基準（例えば、日本は６０ｐｐｍ、アメリカは４０ｐｐｍ）をも満たす清浄な水で腸内を洗浄することができる。また、腸内洗浄装置に導入された水をオゾン化しないので、発癌性を有さない洗浄用の純水を得ることができる。また、腸内洗浄装置に導入された水から逆浸透処理によって細菌自体を除去することができるので、細菌（及びその残渣）が存在しない洗浄用の純水を得ることができる。
【００１１】
また、本発明の腸内洗浄装置によれば、前記出水口における水圧が調整される。これにより、出水する洗浄用の純水の圧力を、例えば人間の腸内を傷付けない程度の値に調整することができる。
【００１２】
また、本発明の腸内洗浄装置によれば、洗浄用の純水の出水先が、出水口と当該出水口とは別に設けられた排水口との間で切り替えられる。これにより、洗浄用の純水を所定の時間、排水口から出水することによって、腸内洗浄装置それ自体の内部を浄化することができ、結果として、より不純物濃度の低い洗浄用の純水を得ることができる。
【発明を実施するための最良の形態】
【００１３】
図１は、本発明の腸内洗浄装置の外観の一例を示す図である。腸内洗浄装置は、図１に示す形状の筐体１を備える。腸内洗浄装置の筐体１は、例えばトイレの貯水タンクの側に設置される。
【００１４】
腸内洗浄装置は、筐体１に導入された原水について、濾過処理の後に加熱処理及び逆浸透膜（逆浸透効果）を利用した処理（以下、逆浸透処理と言う）を行う。これにより、腸内洗浄装置は、極めて不純物濃度が低く、適温で、適切な水圧の腸内洗浄用の水（純水）を得て、これを出水ノズル２４を介して人間（又は動物）の腸内に導入し、腸内を洗浄する。原水としては、例えば水道水（又は、他の浄水器によりある程度まで浄化された水）が用いられる。
【００１５】
図２は、本発明の腸内洗浄装置の構成の一例を示す図である。腸内洗浄装置は、原水から洗浄用の純水を得て出水する流水系統と、流水系統における処理を制御する制御系統とを備える。
【００１６】
流水系統は、濾過器１０、電磁弁（電磁バルブ）１４、低圧用圧力調整ユニット１５、紫外線殺菌装置１６’、加熱ユニット１６、圧力ポンプ１７、逆浸透膜装置１８、高圧用圧力調整ユニット１９、出水口２０、排水口２１、切替部２２、排水弁２３、出水ノズル２４を備える。濾過器１０は、第１濾過器１１、第２濾過器１２、第３濾過器１３からなる。
【００１７】
第１濾過器１１は、原水の供給口（筐体１への水の入水口又は導入口）に接続される。例えば、原水として水道水を用いる場合、例えばバルブを介して（又は、介さずに）、水道の蛇口に接続される。第１濾過器１１は、腸内洗浄装置に導入された原水を濾過するフィルターを備える。第１濾過器１１のフィルターは、例えば直径５μｍの孔を有し、これにより、原水に含まれる不純物を粗く濾過して、第２濾過器１２の活性炭の微細孔の目詰まりを防止し、第３濾過器１３のフィルターの孔の目詰まりを防止することができる。
【００１８】
第２濾過器１２は、活性炭によって塩素、微生物及び有機物等を吸着するフィルター（活性炭フィルター）を備える。第２濾過器１２の活性炭は、その微細孔に塩素、微生物及び有機物等を吸着する。これらは第１濾過器１１では濾過されなかった不純物である。これにより、第１濾過器１１で粗く濾過された水の不純物濃度（ｐｐｍ）を減少させると共に、第３濾過器１３での目詰まりを防止することができる。
【００１９】
第３濾過器１３は、第２濾過器１２によって濾過された水をさらに濾過するフィルターを備える。第３濾過器１３のフィルターは、第１濾過器１よりも小さい孔、例えば直径１μｍの孔を有する。第３濾過器１３による濾過処理によって、当該流水系統内で第３濾過器１３より後（出水口２０側）に設けられる逆浸透膜装置１８での目詰まりを防止することができる。
【００２０】
濾過器１０を個別の第１濾過器１１、第２濾過器１２及び第３濾過器１３で構成することにより、各々、個別に交換することができる。従って、例えば濾過器１１の濾過性能が低下しても、当該濾過器１１のみを交換すれば良く、濾過器１０の全体を交換する必要が無い。
【００２１】
また、同種のフィルターを備える２個の第１濾過器１１及び第３濾過器１３を個別に設けることにより、１個の大きなフィルターを用いるよりも、目詰まり無く（効率良く）濾過することができる。更に、２個の同種のフィルターである第１濾過器１１及び第３濾過器１３の間に異種の第２濾過器１２を設けることにより、第１濾過器１１及び第２濾過器１２により多様で比較的大きな不純物を粗く濾過して、第３濾過器１３により目詰まり無く（効率良く）濾過することができる。
【００２２】
電磁弁１４は、ＯＮ又はＯＦＦに切り替わることにより、低圧用圧力調整ユニット１５から先への水の流出を制御する。即ち、電磁弁１４がＯＦＦの場合、水道の蛇口（及びバルブ）の状態に拘らず、低圧用圧力調整ユニット１５へ水が流れない。従って、水道の蛇口を第１濾過器１１に接続したままの状態にしておくことができる。電磁弁１４がＯＮの場合、低圧用圧力調整ユニット１５へ水が流れる。電磁弁１４のＯＮ又はＯＦＦの切り替えは、制御部２５によって制御される。
【００２３】
低圧用圧力調整ユニット１５は、水圧センサ兼圧力調整弁である。低圧用圧力調整ユニット１５は、水圧を検知して、第１濾過器１１乃至加熱ユニット１６が動作する適切な水圧の値に調整する。水道の水圧が低すぎる場合には水圧を高くし、高すぎる場合には水圧を低くする。これにより、水道の水圧と、流水系統の圧力ポンプ１７までにおける水圧との差を吸収する。低圧用圧力調整ユニット１５による水圧調整処理は、制御部２５によって制御される。
【００２４】
紫外線殺菌装置１６’は、紫外線殺菌装置１６’に導入された水に紫外線を照射して、当該水の雑菌を殺す処理装置である。紫外線殺菌装置１６’による殺菌処理の際には温度上昇が伴う。従って、後述する加熱ユニット１６において当該温度上昇を吸収することができるように、紫外線殺菌装置１６’は、加熱ユニット１６の前（水道側）に設置することが好ましい。この例では、紫外線殺菌装置１６’は加熱ユニット１６に取り付けられるように設けられる。
【００２５】
なお、紫外線殺菌装置１６’を加熱ユニット１６の後（出水口２０側）に設置する場合には、後述する制御部２５が、加熱ユニット１６において紫外線殺菌装置１６’による温度上昇を考慮した加熱処理が行われるように制御する。
【００２６】
加熱ユニット１６は、加熱ユニット１６内に導入された水（濾過器１０によって濾過された水）を加熱する。加熱ユニット１６は、タンク及びヒータ（共に図示せず）を備え、当該タンクに貯めた水をヒータで加熱する。これにより、出水口２０から出水する水の温度を、当該水を腸内に導入するのに適した温度に調整する。この温度は、例えば３７℃程度とされる。即ち、体温に近くかつやや体温よりも高い温度とされる。この結果、加熱された水が例えば患者の腸に火傷を負わせたりすることを防止し、患者が低体温等の体調不良（又は不快）にならないようにすることができる。加熱ユニット１６は制御部２５によって制御される。
【００２７】
圧力ポンプ１７は、加熱ユニット１６から導入された水に対して、逆浸透膜装置１８による逆浸透処理に必要な圧力を加える。即ち、水の分子の浸透圧よりも高い圧力が、加熱ユニット１６から導入された水（不純物濃度の高い側の水）に加えられる。圧力ポンプ１７による加圧処理は、制御部２５によって制御される。
【００２８】
逆浸透膜装置１８は、逆浸透膜を備え、加熱ユニット１６から導入された水を逆浸透処理して、純水と廃水とに分離する。逆浸透膜装置１８の逆浸透膜は、濾過器１０によって濾過された水に溶解している電解質イオン等の不純物を透過させず、純水のみを透過させる。これにより、トリハロメタン等の化学物質、細菌及びウィルス等の不純物を除去することができる。逆浸透膜装置１８による逆浸透処理によって、例えば１０ｐｐｍ以下の洗浄用の純水が得られる。
【００２９】
逆浸透膜装置１８と圧力ポンプ１７とは、導入された水を逆浸透処理する逆浸透膜ユニットを構成する。しかし、逆浸透膜装置１８は、圧力ポンプ１７とは別に、これのみを個別に交換に設けられる。これにより、逆浸透膜装置１８の性能が低下しても、当該逆浸透膜装置１８のみを交換すれば良く、圧力ポンプ１７まで交換する必要が無い。また、濾過器１０と逆浸透膜装置１８とを個別に設けることにより、これらのいずれか一方のみを個別に交換することができる。
【００３０】
高圧用圧力調整ユニット１９は、水圧センサ兼圧力調整弁であり、図示しないが、逆浸透膜装置１８からの洗浄用の純水を一旦取り込んで出水する。この時、高圧用圧力調整ユニット１９は、洗浄用の純水の水圧を検知して、出水口２０における出水の圧力と水量とを調整する。即ち、出水する洗浄用の純水が快適に腸内の奥部まで導入されるように、その水圧が、例えば１ｋｇ／ｃｍ2 〜３ｋｇ／ｃｍ2 に制御される。この時、洗浄用の純水が患者の腸内を傷付けないように、水圧の上限が、例えば３ｋｇ／ｃｍ2 に制限される。また、腸内が急激に（又は過度に）膨満することにより患者が体調不良（又は不快）にならないように、出水する洗浄用の純水の水量が、例えば、４０ｃｃ／ｍｉｎ〜１００ｃｃ／ｍｉｎに制御される。高圧用圧力調整ユニット１９による出水の圧力及び水量の調整処理は、制御部２５によって制御される。
【００３１】
出水口２０は、洗浄用の純水の出口である。出水口２０から出水する洗浄用の純水の不純物濃度は、例えば１ｐｐｍ〜１５ｐｐｍである。これは、飲料水の基準（例えば、日本は６０ｐｐｍ、アメリカは４０ｐｐｍ）をも満たす水準である。これにより、腸内（内臓）に導入する水を、飲料水よりも更に純粋な水とすることができる。出水口２０には出水ノズル２４が取り付けられる。
【００３２】
出水ノズル２４は、出水口２０のアタッチメントであり、その管を通じて洗浄用の純水を腸内に導入する。出水ノズル２４の外観の一例を図３に示す。図３において、出水ノズル２４の全体形状は、例えば変形のＮ字状である。出水ノズル２４の先端は丸くされ、出水ノズル２４を腸内へ挿入するのに適した形状とされる。また、出水ノズル２４の先端の側面には互い違い（千鳥状）に複数の出水孔１００が設けられ、これにより、当該出水孔１００から洗浄用の純水が腸内に満遍なく出水するようにすることができる。
【００３３】
排水口２１は、出水口２０とは別に設けられ、基本的には、逆浸透膜装置１８による逆浸透処理によって分離された廃水の出口である。排水口２１から排出される廃水の不純物濃度は、例えば１８０ｐｐｍ〜２００ｐｐｍである。
【００３４】
切替部２２は、洗浄用の純水の出水を出水口２０と排水口２１との間で切り替える切替ユニットである。切替部２２は、例えば腸内洗浄装置の使用者によって、手動で切り替えられる。なお、後述するリモコン２６からの入力指示に従って、制御部２５が切替部２２を切り替えるようにしても良い。
【００３５】
流水系統の内部を浄化する時（浄化運転時）には、切替部２２は、逆浸透膜装置１８からの洗浄用の純水の出水先を排水口２１へ切り替える。洗浄用の純水の使用時（腸内洗浄時）には、切替部２２は、逆浸透膜装置１８からの洗浄用の純水の出水先を出水口２０へ切り替える。流水系統内を浄化しない場合には、出水口２０から出水する洗浄用の純水の不純物濃度は、２０ｐｐｍ程度である。これは、流水系統内のいずれかにおいて微生物等の不純物が増加するためである。しかし、一日当たり１５分〜３０分の浄化運転をほぼ毎日行うことによって、出水口２０から出水する洗浄用の純水の不純物濃度は、１０ｐｐｍ〜１ｐｐｍ程度となる。
【００３６】
排水弁２３は、ＯＮ又はＯＦＦに切り替わることにより、逆浸透膜装置１８による逆浸透処理によって分離された廃水の排水口２１からの排出を制御する。排水弁２３がＯＮに切り替わると、廃水が排水口２１から排出される。排水弁２３のＯＮ又はＯＦＦの切り替えは、制御部２５によって制御される。
【００３７】
制御系統は、制御部２５とリモートコントローラ（リモコン）２６とを備える。制御部２５は、主メモリ上に存在する当該制御プログラムをＣＰＵ上で実行することにより実現され、上述した流水系統内の各処理部の処理を制御する。
【００３８】
制御部２５は、低圧用圧力調整ユニット１５が調整する圧力、圧力ポンプ１７が印加する圧力、高圧用圧力調整ユニット１９が調整する圧力及び水量を、各々、予め定められた範囲の値に制御する。また、制御部２５は、加熱ユニット１６が加熱する水温を、予め定められた範囲の値に制御する。この時、水温は加熱ユニット１６を流れる水量にも依存するため、実際には、高圧用圧力調整ユニット１９による出水の水量（４０ｃｃ／ｍｉｎ〜１００ｃｃ／ｍｉｎ）の値を考慮して制御される。更に、制御部２５は、リモコン２６から受信した制御信号に従って、電磁弁１４及び排水弁２３のＯＮ又はＯＦＦの切り替えを制御する。即ち、電磁弁１４及び排水弁２３は同時に切り替わるように制御される。
【００３９】
リモコン２６は、腸内洗浄装置の筐体１とは個別に設けられ、例えば腸内洗浄装置（又はトイレ）の使用者が使用しやすいような位置に設置される。使用者は、腸内洗浄装置の使用時に、電磁弁１４及び排水弁２３のＯＮ又はＯＦＦの切り替えを入力する。これに応じて、リモコン２６は、周知の無線通信手段により、電磁弁１４及び排水弁２３のＯＮ又はＯＦＦの切り替えを制御するための制御信号を制御部２５に送信する。このために、リモコン２６及び制御部２５は、当該無線信号の送受信部（図示せず）を備える。
【００４０】
次に、図２に示す内部構成を採る腸内洗浄装置の使用時における処理の一例について説明する。洗浄用の純水の使用時（腸内洗浄時）には、腸内洗浄装置の使用者が、切替部２２を洗浄用の純水の出水先が出水口２０となるように切り替えた上で、電磁弁１４及び排水弁２３がＯＮとなるようにリモコン２６を操作する。
【００４１】
これにより、制御部２５が電磁弁１４及び排水弁２３をＯＮに切り替えると、水道水が腸内洗浄装置に導入されるようになり、一組の濾過器１０を構成する第１濾過器１１、第２濾過器１２、第３濾過器１３が、この順に、導入された水道水を濾過する。当該濾過された水が紫外線殺菌装置１６’によって殺菌処理され、加熱ユニット１６により水温が例えば３７℃に調整される。圧力ポンプ１７が、加熱ユニット１６から出水された水に対して、逆浸透膜装置１８による逆浸透処理に必要な圧力を印加する。これにより、逆浸透膜装置１８が、逆浸透処理を行って洗浄用の純水（及び廃水）を生成する。高圧用圧力調整ユニット１９が、洗浄用の純水の水圧を検知して、出水口２０における出水の圧力と水量とを所定の値に調整する。これにより、出水口２０の出水ノズル２４を通じて、洗浄用の純水が出水する。逆浸透膜装置１８によって分離された廃水は、排水口２１から排出される。
【００４２】
一方、腸内洗浄装置（の流水系統）の内部を浄化する時（浄化運転時）には、腸内洗浄装置の使用者が、切替部２２を洗浄用の純水の出水先が排水口２１となるように切り替えた上で、電磁弁１４及び排水弁２３がＯＮとなるようにリモコン２６を操作する。これにより、逆浸透膜装置１８からの排水と共に、洗浄用の純水も排水口２１から排出され、流水系統の内部が浄化される。
【００４３】
図４は、本発明の腸内洗浄装置の構成の他の一例を示す図である。図４の腸内洗浄装置は、基本的には、図２の腸内洗浄装置と同様の構成を備えるが、以下の点で図２の例と異なる。
【００４４】
即ち、図４の例においては、紫外線殺菌装置１６’が省略されている。細菌等は逆浸透膜装置１８により濾過され、洗浄用の純水には含まれないので、紫外線殺菌装置１６’を省略することができる。なお、図４の例において紫外線殺菌装置１６’を設けても問題は無い。
【００４５】
また、図４の例においては、低圧用圧力調整ユニット１５が省略されている。例えば、電磁弁１４により水道水の水圧を調整することにより、低圧用圧力調整ユニット１５を省略することができる。
【００４６】
また、図４の例においては、加熱ユニット１６が、逆浸透膜装置１８の直前ではなく、切替部２２の直前に（逆浸透膜装置１８よりも出水口２０に近い位置）設けられる。換言すれば、逆浸透膜装置１８と圧力ポンプ１７とから構成される逆浸透膜ユニットが、加熱ユニット１６と出水口２０との間にではなく、濾過器１０’と加熱ユニット１６との間に設けられる。これにより、加熱ユニット１６が逆浸透膜ユニットよりも出水口２０に近い位置にあるので、出水口２０から出水する純水の温度を、図２の例よりもより正確にかつ容易に制御することができる。
【００４７】
また、図４の例においては、濾過器１０に代えて、濾過器１０’が設けられる。濾過器１０’は、第１濾過器１１、第２濾過器１２及び第３濾過器１３’からなる。第３濾過器１３’は、第２濾過器１２と同様に、活性炭フィルターを備える。これにより、第２濾過器１２では濾過されなかった塩素、微生物及び有機物等を吸着して、当該流水系統内で第３濾過器１３’より後に設けられる逆浸透膜装置１８での目詰まりを防止することができる。また、第２濾過器１２と個別に、これと同様の活性炭フィルターを備える第３濾過器１３’を設けることにより、現在の（都会の）水道水において最も問題である塩素、微生物及び有機物等を有効に除去することができる。また、これらのいずれか一方のみを個別に交換することができる。この結果、水道水を原水とする場合、活性炭フィルターを備える濾過器１２及び１３’が最も目詰まりしやすいので、個別交換により、効率良く塩素、微生物及び有機物等を除去することができる。
【産業上の利用可能性】
【００４８】
以上説明したように、本発明の腸内洗浄装置によれば、例えば水道水のような原水を濾過して洗浄用の純水を得て、得られた洗浄用の純水を体温温度に加熱し、適切な圧力で腸内に導入することができる。従って、腸内洗浄に用いる洗浄用の水として、例えば飲料水の基準を満たす不純物濃度を有し、オゾン等の発癌性を有さず、細菌及びその残渣を含まない極めて清浄な水を得ることができる。
【図面の簡単な説明】
【００４９】
【図１】本発明の腸内洗浄装置の外観の一例を示す図である。
【図２】本発明の腸内洗浄装置の構成の一例を示す図である。
【図３】出水ノズルの外観の一例を示す図である。
【図４】本発明の腸内洗浄装置の構成の他の一例を示す図である。
【符号の説明】
【００５０】
１１  第１濾過器
１２  第２濾過器
１３、１３’  第３濾過器
１４  電磁弁
１５  低圧用圧力調整ユニット
１６’  紫外線殺菌装置
１６  加熱ユニット
１７  圧力ポンプ
１８  逆浸透膜装置
１９  高圧用圧力調整ユニット
２０  出水口
２１  排水口
２２  切替部
２３  排水弁
２４  出水ノズル
【図１】
2008119073.tif 000003
【図２】
2008119073.tif 000004
【図３】
2008119073.tif 000005
【図４】
2008119073.tif 000006